(57)【要約】【課題】  オルゴール本体を被装着体に着脱可能に構成してなるオルゴール装置において、オルゴール本体と被装着体の間で発生する雑音を防止できるオルゴール装置を提供する。【解決手段】本発明のオルゴール装置１０は、オルゴール本体１１と、該オルゴール本体１１が着脱可能に装着される被装着体１２とを具備するオルゴール装置であって、前記オルゴール本体１１に第１の磁性体１５が取り付けられるとともに、前記被装着体１２に第２の磁性体１６が取り付けられ、前記第１の磁性体１５と前記第２の磁性体１６の少なくとも一方が磁石であり、両磁性体間に生ずる磁力により、前記オルゴール本体１１の装着部位１４ｃが前記被装着体１２の被装着部位１６ａに当接した状態で吸着保持されることを特徴とする。【選択図】図４
2009192855.tif 000002
【特許請求の範囲】
【請求項１】
オルゴール本体と、該オルゴール本体が着脱可能に装着される被装着体とを具備するオルゴール装置であって、
前記オルゴール本体に第１の磁性体が取り付けられるとともに、前記被装着体に第２の磁性体が取り付けられ、前記第１の磁性体と前記第２の磁性体の少なくとも一方が磁石であり、両磁性体間に生ずる磁力により前記オルゴール本体の装着部位が前記被装着体の被装着部位に当接した状態で吸着保持されることを特徴とするオルゴール装置。
【請求項２】
前記オルゴール本体は、ムーブメントと、該ムーブメントを収容するケースとを有し、前記ムーブメントを操作するための操作部が前記ケースの前記装着部位以外の面上に突設されることを特徴とする請求項１に記載のオルゴール装置。
【請求項３】
前記オルゴール本体の前記装着部位は前記オルゴール本体のベース側の面に設けられ、前記第１の磁性体は前記オルゴール本体の前記ベース寄りに配置されることを特徴とする請求項１又は２に記載のオルゴール装置。
【請求項４】
前記オルゴール本体の前記装着部位と前記被装着体の前記被装着部位の当接状態において前記第１の磁性体と前記第２の磁性体の間に間隔が設けられることを特徴とする請求項１乃至３の何れか一項に記載のオルゴール装置。
【請求項５】
前記装着部位と前記被装着部位の少なくとも一方には他方に向けて開放された凹部が設けられ、該凹部内に前記第１の磁性体若しくは前記第２の磁性体が配置され、前記第１の磁性体若しくは前記第２の磁性体の表面が前記凹部の開口縁より内側に配置されることを特徴とする請求項４に記載のオルゴール装置。
【請求項６】
前記オルゴール本体の質量をＡ［ｋｇ］としたとき、前記磁力は、１０×Ａ×ｇ［Ｎ］（ｇは重力加速度）以上であり、かつ、２２［Ｎ］未満であることを特徴とする請求項１乃至５の何れか一項に記載のオルゴール装置。
【発明の詳細な説明】
【技術分野】
【０００１】
本発明はオルゴール装置に係り、特に、オルゴール本体と、これを着脱可能に装着する被装着体とを具備するオルゴール装置の構成に関する。
【背景技術】
【０００２】
一般に、オルゴール本体と、これを装着する被装着体とを備えたオルゴール装置が知られている。このようなオルゴール装置としては、例えば、オルゴール本体であるオルゴールムーブメントを被装着体である装飾箱（宝石箱）にネジ等で固定したり、或いは、被装着体である写真フレームの背面に保持固定枠を設け、当該保持固定枠にオルゴール本体を挿入嵌合させた上で、必要に応じてネジ等で固定していた。
【０００３】
また、オルゴール本体を装飾箱に容易に着脱可能に構成するために、オルゴール本体を装着するための区画を装飾箱に設けるとともに当該区画の内面に毛足の長い布を貼り付け、ここにオルゴール本体或いはこれを挿入したオルゴールケースを挿入することで、一定の保持固定力が得られるようにしたものも提案されている（以下の特許文献１及び２参照）。
【特許文献１】特開平７−１２９１５４号公報
【特許文献２】特開平７−３０６６７５号公報
【発明の開示】
【発明が解決しようとする課題】
【０００４】
しかしながら、前述のオルゴール装置では、オルゴール本体を被装着体に保持固定した場合に、保持固定状態に応じて、被装着体との間に生ずるガタにより雑音（ビレ音）が発生したり、また、オルゴール本体で発生した振動が効率的に被装着体に伝達されないことで音量が十分に得られなかったりし、これにより製品の歩留まりが低下するという問題点があった。
【０００５】
また、上記のようにオルゴール本体を被装着体に着脱可能に構成すると同時に一定の保持固定力を確保するために、被装着体に特殊な構造、例えば、上記装飾箱の毛足の長い布を貼り付けた区画、或いは、フォトフレームの背面に設けた保持固定枠、を設ける必要があるとともに、必要に応じてネジ等で固定する作業が必要となるため、製造コストが増大するという問題点もあった。
【０００６】
そこで、本発明は上記問題点を解決するものであり、その課題は、オルゴール本体を被装着体に着脱可能に構成してなるオルゴール装置において、オルゴール本体と被装着体の間で発生する雑音を防止できるオルゴール装置を提供することにある。また、副次的な目的としては、オルゴール本体の振動を被装着体に伝達する構造を有する場合には、オルゴール本体で発生した振動をより効率的に被装着体へ伝達可能なオルゴール装置を提供すること、或いは、上記機能を有しながら製造コストの増大を抑制できる構成を実現することが挙げられる。
【課題を解決するための手段】
【０００７】
斯かる実情に鑑み、本発明のオルゴール装置は、オルゴール本体と、該オルゴール本体が着脱可能に装着される被装着体とを具備するオルゴール装置であって、前記オルゴール本体に第１の磁性体が取り付けられるとともに、前記被装着体に第２の磁性体が取り付けられ、前記第１の磁性体と前記第２の磁性体の少なくとも一方が磁石であり、両磁性体間に生ずる磁力により前記オルゴール本体の装着部位が前記被装着体の被装着部位に当接した状態で吸着保持されることを特徴とする。
【０００８】
この発明によれば、オルゴール本体と被装着体とが磁力により吸着保持されることで着脱可能に構成されるので、オルゴール本体が被装着体に装着された状態で常に磁気吸着力が作用した状態となるため、雑音（ビレ音）が発生しにくい。また、磁気吸着力が作用して密着した状態となるので、オルゴール本体から被装着体への振動伝達により音質や音量の向上を図ることのできる構成を採用した場合には、当該振動伝達の効率を高めることができる。さらに、オルゴール本体の装着部位と被装着体の被装着部位の構造を簡易なものとすることができるため、着脱操作が従来に比べて簡単になるとともに、組立を容易にして製造コストの増大を抑制できる。
【０００９】
本発明の一の態様においては、前記オルゴール本体は、ムーブメントと、該ムーブメントを収容するケースとを有し、前記ムーブメントを操作するための操作部が前記ケースの前記装着部位以外の面上に突設される。これによれば、ムーブメントをケース内に収容したことで、ムーブメントが直接手に触れたり、被装着体（特に第２の磁性体）に接触したりすることがないため、ムーブメントの腐食や引っ掛かりなどによる損傷、利用者の怪我などを防止できる。また、ムーブメントの操作部（巻鍵、停止摘み、スイッチなど）が装着部位以外の面上に突設されることで、装着状態でのムーブメントの操作が可能になる。
【００１０】
本発明の他の態様においては、前記オルゴール本体の前記装着部位は前記オルゴール本体のベース側の面に設けられ、前記第１の磁性体は前記オルゴール本体の前記ベース寄りに配置される。これによれば、オルゴール本体のベース側の面が装着部位とされるとともにベース寄りに第１の磁性体が配置されることで、磁気吸着力を確保しつつ、オルゴール本体の振動（通常はベースから外部へと伝達される。）をさらに効率的に被装着体に伝達することができる。
【００１１】
本発明の別の態様においては、前記オルゴール本体の前記装着部位と前記被装着体の前記被装着部位の当接状態において前記第１の磁性体と前記第２の磁性体の間に間隔が設けられる。これによれば、第１の磁性体と第２の磁性体とが直接当接しないので、両磁性体の表面の磨耗を防止することができるとともに、両磁性体を直接当接させた場合に比べて間隔の変化に対する磁力の変動が少ない領域で使用できるため、製造時の要因による上記間隔のばらつきや上記磨耗等に起因する上記間隔の経時的変化などに対する磁気吸着力の安定性を高めることができる。
【００１２】
本発明の異なる態様においては、前記装着部位と前記被装着部位の少なくとも一方には他方に向けて開放された凹部が設けられ、該凹部内に前記第１の磁性体若しくは前記第２の磁性体が配置され、前記第１の磁性体若しくは前記第２の磁性体の表面が前記凹部の開口縁より内側に配置される。これによれば、装着部位又は被装着部位に凹部を設け、この凹部内に磁性体を配置することで、オルゴール本体と被装着体の当接部分の近傍に容易かつ確実に磁性体を固定できる。また、両磁性体の間に上記間隔を設けること、並びに、当該間隔を適切に設定することが容易になる。
【００１３】
本発明のさらに別の態様においては、前記オルゴール本体の質量をＡ［ｋｇ］としたとき、前記磁力は、１０×Ａ×ｇ［Ｎ］（ｇは重力加速度）以上であり、かつ、２２［Ｎ］未満である。これによれば、オルゴール本体を被装着体に確実に保持固定できるとともに、人手で容易に取り外すことが可能になる。
【発明を実施するための最良の形態】
【００１４】
以下、本発明の実施の形態を図示例と共に説明する。図１は本実施形態のオルゴール装置において、オルゴール本体と被装着体とが分離された様子を示す概略斜視図、図２はオルゴール本体が被装着体に装着された様子を示す概略斜視図、図３はオルゴール本体の平面図、図４はオルゴール本体の正面図である。
【００１５】
本実施形態のオルゴール装置１０は、図１及び図２に示すように、オルゴール本体１１と、被装着体である写真フレーム１２とを具備する。オルゴール本体１１は、図３及び図４に示すようにムーブメント１３と、ケース１４とを有し、ムーブメント１３はケース１４の内部に収容されている。また、ケース１４は、ケース底板１４ａと、このケース底板１４ａに対し着脱可能に嵌合したケースカバー１４ｂとを有し、全体が合成樹脂等の絶縁体、図示例の場合にはアクリル樹脂等の透明素材で構成される。ケース底板１４ａ（上記装着部位に相当する。）の底面である装着面１４ｃには希土類磁石等よりなり上記第１の磁性体を構成するマグネット（磁石）１５が取り付け固定されている。
【００１６】
一方、写真フレーム１２は、図１及び図２に示すように、フレーム本体１２ａと、このフレーム本体１２ａに装着保持された背面支持板１２ｂとを含み、背面支持板１２ｂの表面上には鉄等の強磁性体よりなり上記第２の磁性体を構成する磁性板１６（上記被装着部位に相当する。）が貼着されている。
【００１７】
本実施形態において、オルゴール本体１１の底面である装着面１４ｃ及び磁性板１６の表面である被装着面１６ａは共に平面に構成され、相互に当接（密接）した状態で、マグネット１５と磁性板１６との間に働く磁力により、相互に吸着保持されている。
【００１８】
図３及び図４に示すように、オルゴール本体１１のムーブメント１３は、金属製のベース１３ａ、このベース１３ａ上に固定され、ゼンマイを収容した香箱、電動モータ等よりなる駆動源１３ｂ、駆動源１３ｂによって回転駆動され、外周面にピンを植設してなるドラム１３ｃ、ドラム１３ｃに固定された歯車１３ｄ、歯車１３ｄに対して適宜の減速輪列を介して接続された調速部１３ｅ、及び、ドラム１３ｃの外周面上のピンによって弾かれる複数のリード片を備えた振動板１３ｆを備えている。駆動源１３ｂの上面からは入力軸１３ｇが突出し、この入力軸１３ｇには上記ケースカバー１４ｂに設けられた開口部１４ｄを介して挿入された巻鍵１７が取り外し可能に接続されている。この巻鍵１７は上記操作部に相当するものである。ただし、本発明の操作部は、図示例に限定されるものではなく、停止摘み、各種スイッチなどの適宜の操作部材で構成することができる。
【００１９】
上記ベース１３ａは複数の固定ネジ１８によりケース底板１４ａに密着した状態で固定されている。これによりムーブメント１３のベース１３ａとケース底板１４ａとが一体に振動することとなる。また、ケース底板１４ａには通気孔１４ｅが形成されている。さらに、ケース底板１４ａの外面には凹部１４ｆが設けられ、この凹部１４ｆ内に上記マグネット１５が固定されている。本実施形態では、複数（図示例では３つ）のマグネット１５がケース底板１４ａの外周側部分に分散配置された状態で取り付け固定される。
【００２０】
一方、図４に示すように、磁性板１６の被装着面１６ａは、上記複数のマグネット１５が分散配置された平面領域、すなわち、ケース底板１４ａの装着面１４ｃの平坦部に対応する平面範囲を包含する寸法を備えている。図示例の場合には、磁性板１６の平面範囲はムーブメント１３のベース１３ａの平面範囲とほぼ一致している。
【００２１】
図５は、ケース底板１４ａに取付けられたマグネット１５及びこれに対向する磁性板１６の当接面同士を拡大して示す拡大部分断面図である。凹部１４ｆは磁性板１６に向けて開放され、マグネット１５を収容可能で、マグネット１５とほぼ対応する開口形状及び寸法を有する。マグネット１５は凹部１４ｆ内に挿入され、接着剤１９等により凹部１４ｆ内で固定される。凹部１４ｆの深さはマグネット１５の厚みより大きく形成され、これによって、マグネット１５の表面１５ａが凹部１４ｆの開口縁１４ｇより内側に配置され、当該表面１５ａと開口縁１４ｇとの間に高低差ΔＨが存在するようになっている。
【００２２】
したがって、本実施形態において、オルゴール本体１１の装着部位であるケース底板１４ａの装着面１４ｃが写真フレーム１２の被装着部位である磁性板１６の被装着面１６ａに当接（密接）した状態で吸着保持されたとき、マグネット１５の表面１５ａと磁性板１６の被装着面１６ａとの間には高低差ΔＨの分だけ間隔が設けられるため、マグネット１５と磁性板１６とが直接に接触することがない。ここで、マグネット１５の表面１５ａの面積は装着面１４ｃと被装着面１６ａの当接面積に比べて小さいため、マグネット１５の表面１５ａが装着面１４ｃから突出していると、装着面１４ｃの凹凸で吸着保持状態が安定しなかったり、接触面積が小さいことでムーブメント１３からの振動が写真フレーム１２に伝達されにくくなったりする虞があるが、本実施形態のようにマグネット１５の表面１５ａが凹部１４ｆの開口縁１４ｇより内側にあることで、装着面１４ｃと被装着面１６ａの密着状態に支障はなく、その結果、吸着保持状態を安定させることができ、しかも、ムーブメント１３から写真フレーム１２への振動伝達が効率よく行われる。さらに、両磁性体の間に磨耗が生ずることもないため、磨耗によるガタの発生を招くこともない。
【００２３】
なお、上記高低差ΔＨは、マグネット１５と磁性板１６の間に生ずる磁力、及び、マグネット１５の凹部１４ｆ内への取り付け構造の公差を勘案して決定される。上記磁力は、マグネット１５と磁性板１６の間隔によって変化するが、特に、マグネット１５と磁性板１６とが直接当接し得る構造となっている場合には、上記磨耗等によって生ずる間隔の僅かな変化でも大きく磁力が変動する。しかし、マグネット１５と磁性板１６との間に予め間隔が設けられることで、製造時において生ずる接着剤１９の厚み等のばらつきで上記間隔にばらつきが生じても磁気吸着力の変動が小さくなるという効果が得られる。これは、磁気吸着力の変化率は間隔が大きくなるほど低下するからである。
【００２４】
本実施形態では、上記磁気吸着力を、オルゴール本体１１の質量をＡ（一例として図示例の場合はＡ＝０．１２１）［ｋｇ］としたとき、１０×Ａ×ｇ［Ｎ］（一例では約１２［Ｎ］）以上とすれば、オルゴール本体１１を写真フレーム１２に安定して吸着保持させることができ、雑音もなく、振動伝達も良好であることが確認された。ここで、上記ｇは重力加速度、すなわち、ｇ＝９．８０６６５［ｍ／ｓ２］である。
【００２５】
特に、本実施形態のように被装着体（写真フレーム１２）のほぼ垂直に配置される背面上にオルゴール本体１１を吸着保持させる場合には、オルゴール本体１１のずれ落ちを防止するために磁気吸着力を大きくする必要があるので、磁気吸着力を１１×Ａ×ｇ［Ｎ］を越える値とすることが好ましく、１２×Ａ×ｇ［Ｎ］を越える値とすることがさらに望ましい。
【００２６】
一方、磁気吸着力があまりに大きすぎると、写真フレーム１２からオルゴール本体１１を取り外すことが困難となり、場合によっては写真フレーム１２を破損させる危険性もある。したがって、人手で容易にオルゴール本体１１を取り外せるようにするために、上記磁気吸着力を２２［Ｎ］未満にすることが好ましい。また、磁気吸着力の上限は、オルゴール本体１１の質量が０．０１〜１．０［ｋｇ］の範囲内であれば、１９×Ａ×ｇ［Ｎ］未満とすることで人手による取り外しが容易になる。
【００２７】
また、本実施形態では、複数の小さな表面積を備えたマグネット１５（タブレット状）と、大きな面積を備えた磁性板（平板状）とを用いて磁気吸着力を確保しているが、マグネット１５の数が複数であることで磁気吸着力の安定性が向上し、特に３個以上であることでより安定した吸着保持状態を得ることができる。しかも、個々のマグネットを小さな表面積を備えたものとすることにより、所要の磁気吸着力を確保しつつ部品コストを低減できる。
【００２８】
図示例では、マグネット１５として直径６．０ｍｍ、厚み２．０ｍｍの円盤状のネオジウム磁石（表面磁束密度が３００［ｍＴ］（＝３［ｋＧ］）のもの）を３個用い、上記高低差をΔＨ＝０．１［ｍｍ］とした。一方、磁性板１６として５０ｍｍ角の矩形状で厚み３ｍｍのＳＰＣＣ材（冷間圧延鋼板）を用いた。これにより、質量１２１ｇのオルゴール本体１１を写真フレーム１２の背面に安定的に吸着保持することができ、しかも、人手で簡単に取り外すことができる状態となった。
【００２９】
尚、本発明のオルゴール装置は、上述の図示例にのみ限定されるものではなく、本発明の要旨を逸脱しない範囲内において種々変更を加え得ることは勿論である。例えば、上記実施形態では、オルゴール本体１１にマグネット１５を取り付け、写真フレーム１２（被装着体）に磁性板１６を取付けているが、これとは逆に、図６に示すように、オルゴール本体１１に磁性板１５′を取り付け、写真フレーム１２（被装着体）に（複数の）マグネット１６′を取付けてもよく、或いは、双方にマグネットを取付けてもよい。さらには、図３、図４及び図６に示す構成とは逆に、マグネット１５、１５′を平板状に構成し、磁性板１６、１６′をタブレット状に構成してもよい。
【００３０】
また、上記実施形態では、オルゴール本体１１と被装着体（写真フレーム１２）を装着面１４ｃと被装着面１６ａの平坦面同士が当接（密接）した状態で吸着保持させているため、装着及び取り外しの作業が容易になるという利点がある。しかし、装着面と被装着面を凹凸状に構成したり、係止爪、係止枠などを設けて相互に嵌合するように構成することにより、平面方向のずれを防止でき、より安定な装着状態を得ることができる。
【図面の簡単な説明】
【００３１】
【図１】実施形態のオルゴール装置におけるオルゴール本体と被装着体である写真フレームとが分離された様子を示す概略斜視図。
【図２】同実施形態のオルゴール本体が被装着体である写真フレームに装着された様子を示す概略斜視図。
【図３】オルゴール本体の平面図。
【図４】オルゴール本体及び磁性板の正面図。
【図５】マグネットの取り付け部近傍の拡大部分縦断面図。
【図６】異なる態様を示すオルゴール本体及び磁性板の正面図。
【符号の説明】
【００３２】
１０…オルゴール装置、１１…オルゴール本体、１２…写真フレーム（被装着体）、１３…ムーブメント、１３ａ…ベース、１４…ケース、１４ａ…ケース底板、１４ｂ…ケースカバー、１４ｃ…装着面、１４ｆ…凹部、１５…マグネット、１５ａ…表面、１６…磁性板、１６ａ…被装着面
【図１】
2009192855.tif 000003
【図２】
2009192855.tif 000004
【図３】
2009192855.tif 000005
【図４】
2009192855.tif 000006
【図５】
2009192855.tif 000007
【図６】
2009192855.tif 000008